(57)【要約】【課題】  環境負荷を増加することなく、包装体を安全に収納出来る収納箱の提供。【解決手段】  遮光包装されたロール状感光材料包装体の両端に該ロール状感光材料包装体を中空に支持する支持部材を装着し、該ロール状感光材料包装体を収納するロール状感光材料包装体用収納箱において、該支持部材が載置される箇所にパルプモールド製のスペーサーが配設されていることを特徴とするロール状感光材料包装体用収納箱。【選択図】        図１
2005250217.tif 000002
【特許請求の範囲】
【請求項１】
遮光包装されたロール状感光材料包装体の両端に該ロール状感光材料包装体を中空に支持する支持部材を装着し、該ロール状感光材料包装体を収納するロール状感光材料包装体用収納箱において、該支持部材が載置される箇所にパルプモールド製のスペーサーが配設されていることを特徴とするロール状感光材料包装体用収納箱。
【請求項２】
前記スペーサーが、厚さ２〜６ｍｍであることを特徴とする請求項１に記載のロール状感光材料包装体用収納箱。
【発明の詳細な説明】
【技術分野】
【０００１】
本発明は、ロール状感光材料包装体用収納箱（以下、単に収納箱ともいう）に関し、更に詳しくは両端に保持部材を装着し、遮光包装されたロール状感光材料包装体を収納する収納箱に関する。
【背景技術】
【０００２】
従来より、遮光包装されたロール状感光材料包装体（以下、単に包装体とも言う）としては、長尺シート状の感光材料を円筒状の巻芯に巻き、ロール状にしたロール状感光材料を遮光包装した形態が知られている。これら包装体の保管・運搬に際しては、実開平６−３６４４６号、特開平９−３０４８８６号、同１１−３２７０８９号等に提案されている様な熱可塑性樹脂で作られた支持部材を包装体の両端に装着し、包装体を中空に保持し、外箱に接触しない様な状態でロール状感光材料用収納箱（以下、単に収納箱とも言う）に１ロールづつ収納した輸送形態で、ユーザーに納入していた。又、収納箱はリサイクル適性を考慮し段ボールが使用されており、包装体の質量が３〜１２ｋｇあることから段ボール製の収納箱を使用したときの問題点としては以下の事項が挙げられる。
【０００３】
１）包装体の質量が両端に装着した支持部材に掛かっているため、収納箱の底部の支持部材が載置される箇所が、包装体の質量により凹んでしまい底部と接触し、包装体を中空に保持することが出来なくなる。このため、外部からの押圧、輸送時の振動等の外乱に対して耐性が無くなり、ロール状感光材料に押されカブリ、スリ傷等の故障が発生する場合がある。
【０００４】
２）使用する時に、押され跡、スリ傷等の故障箇所の有無を確認する必要があるため、安心して使用することが出来ない。
【０００５】
これらの対応として、運搬中に落下などの衝撃を受けてもロール状感光材料を破損変形させにくく、また長期間保管しても感光材料を劣化させにくくなるようにロール状感光材料を支持することができ、かつリサイクルあるいは廃棄の容易なロール状感光材料用支持体が知られている（例えば、特許文献１を参照。）。
【０００６】
特許文献１に記載のロール状感光材料用支持体を用いることで効果はあるが次の如き問題点が挙げられる。
【０００７】
１）ロール状感光材料用支持体が大きくなるため収納箱が大きくなり、環境負荷が増加する。
【０００８】
２）ロール状感光材料用支持体が合成樹脂製で、且つ従来の支持部材（特許文献１に記載のロール状感光材料用支持体に該当する）より大きくなるため環境負荷が増加する。
【０００９】
この様な状況から、環境負荷を増加することなく、包装体を安全に収納出来る収納箱の開発が望まれている。
【特許文献１】特開２０００−３４７３５４号公報
【発明の開示】
【発明が解決しようとする課題】
【００１０】
本発明は、上記状況に鑑みなされたものであり、その目的は環境負荷を増加することなく、包装体を安全に収納出来る収納箱を提供することである。
【課題を解決するための手段】
【００１１】
本発明の上記目的は、下記の構成により達成された。
【００１２】
（請求項１）
遮光包装されたロール状感光材料包装体の両端に該ロール状感光材料包装体を中空に支持する支持部材を装着し、該ロール状感光材料包装体を収納するロール状感光材料包装体用収納箱において、該支持部材が載置される箇所にパルプモールド製のスペーサーが配設されていることを特徴とするロール状感光材料包装体用収納箱。
【００１３】
（請求項２）
前記スペーサーが、厚さ２〜６ｍｍであることを特徴とする請求項１に記載のロール状感光材料包装体用収納箱。
【発明の効果】
【００１４】
環境負荷を増加することなく、包装体を安全に収納出来る収納箱を提供することが出来、使用するに当たり押され跡、スリ傷等の故障の有無を確認することなく安心して使用することが可能となり、作業効率が上がった。
【発明を実施するための最良の形態】
【００１５】
本発明に係る実施の形態を図１〜図４を参照しながら説明するが、本発明はこれに限定されるものではない。
【００１６】
図１は両端に支持部材を装着した状態の遮光包装された包装体を収納した収納箱の概略分解斜視図である。
【００１７】
図中、１は包装体を収納した本発明の収納箱を示す。収納箱１は包装体１０３を収納する箱体の本体１０１と、本体１０１に覆い重ね合わせ、本体１０１と一体となった蓋体１０２とを有している。１０２ｅは、蓋体１０２を本体１０１に固定するテープを示し、１０２ｆは識別ラベルを示す。１０４ａ、１０４ｂは包装体１０３の両端に取り付ける支持部材を示す。この支持部材により、包装体１０３は宙づり状態で本体１０１に支持部材１０４ａの底部１０４ａ１と支持部材１０４ｂの底部１０４ｂ１とが底部１０１ａの両端に接触する状態で収納されている。支持部材１０４ａの底部１０４ａ１と支持部材１０４ｂの底部１０４ｂ１と収納箱１の底部１０１ａとの間にはスペーサ２ａ、２ｂ（図２を参照）が配設されている。
【００１８】
１０３ａはロール状感光材料の周面と両端のフランジ部材の側面とを遮光する遮光性包装材料を示す。本体１０１は、矩形の底部１０１ａと、第１本体長辺側壁１０１ｂと、第２本体長辺側壁１０１ｃと、第１短辺側壁１０１ｅと、第２短辺側壁１０１ｄとを有する箱体となっている。１０１ｆは第１短辺側壁１０１ｅのフラップを示し、１０１ｇは第２短辺側壁１０１ｄのフラップを示す。
【００１９】
蓋体１０２は、天面部１０２ａと、長辺側の側壁１０２ｂと、短辺側の側壁１０２ｃ、１０２ｄとを有し、蓋体１０２は本体１０１の側壁１０１ｃと天面部１０２ａとが折れ目線を介して繋がっていることで本体１０１と一体化した構造となっている。長辺側の側壁１０２ｂは外壁１０２ｂ１と内壁１０２ｂ２とを有している。短辺側の側壁１０２ｃは外壁１０２ｃ１と内壁１０２ｃ２とを有している。短辺側の側壁１０２ｄは外壁１０２ｄ１と内壁１０２ｄ２とを有している。
【００２０】
収納箱１は、安定した積み重ねを可能にするため、天面部１０２ａ及び底部１０１ａの裏側は平坦になっていることが好ましい。
【００２１】
収納箱１の形式は特に限定は無いが、本体に収納した包装体の取り出しが容易で、蓋を閉じたとき本体にゴミが入り難い形態で、使用後に分解がたやすく出来る形態が好ましい。収納箱に使用する材料は、環境負荷を増加を抑え、コストを抑え、作り易さ、強度の面から段ボールが好ましい材料として挙げられる。使用する段ボールも収納する包装体の大きさに合わせ適宜選択することも可能であり、例えば段としてはＡフルート、Ｂフルート、Ｃフルート、Ｅフルート、Ｆフルート、Ｇフルートの何れかを使用した両面ダンボール、複両面ダンボール等を使用することが出来る。
【００２２】
図２は図１に示す包装箱の概略展開図である。
【００２３】
図中、２は展開基板を示す。２０１は矩形の底板（組み立てた時、図１に示す包装箱の本体の底部１０１ａとなる）を示し、底板２０１の一方の長辺側には第１側板２０２（組み立てた時、図１に示す包装箱の第１本体長辺側壁１０１ｂとなる）と、他の一方の長辺側には第２側板２０３（組み立てた時、図１に示す包装箱の第１本体長辺側壁１０１ｃとなる）とが横方向にそれぞれ折れ目線を介して連接されている。
【００２４】
底板２０１の一方の短辺側には第１端板２０４（組み立てた時、図１に示す包装箱の第１本体短辺側壁１０１ｅとなる）と、他の一方の短辺側には第２端板２０５（組み立てた時、図１に示す包装箱の第２本体短辺側壁１０１ｄとなる）とが折れ目線を介して設けられている。
【００２５】
第１端板２０４は、折れ目線を介して外壁を形成する端板２０４ａと内壁を形成する端板２０４ｂとが折れ目線を介して連接されており、端板２０４ｂの端部にはフラップ２０４ｃが折れ目線を介して連接されている。端板２０４ａと端板２０４ｂとを折り目線に沿って折り曲げることで外壁と内壁とを有する側壁が形成される様になっている。
【００２６】
第１端板２０５は、折れ目線を介して外壁を形成する端板２０５ａと内壁を形成する端板２０５ｂとが連接されており、端板２０５ｂの端部にはフラップ２０５ｃが折れ目線を介して連接されている。端板２０５ａと端板２０５ｂとを折り目線に沿って折り曲げることで外壁と内壁とを有する側壁が形成される様になっている。
【００２７】
第１側板２０２の一方の短辺には第１端板２０４により構成される外壁と内壁とを有する第１本体短辺側壁の間隙に挿入される第１フラップ２０６が折れ目線を介して設けられている。第２側板２０３の一方の短辺にも、第１端板２０４により構成される外壁と内壁とを有する第１本体短辺側壁の間隙に挿入される第３フラップ２０８が折れ目線を介して設けられている。２０６ａは端板２０４ａと対向する辺を示す。２０８ａは端板２０４ａと対向する辺を示す。
【００２８】
第１側板２０２の他の一方の短辺には第２端板２０５により構成される外壁と内壁とを有する第２本体短辺側壁の間隙に挿入される第２フラップ２０７が折れ目線を介して設けられている。第２側板２０３の他の一方の短辺にも、第２端板２０５により構成される外壁と内壁とを有する第２本体短辺側壁の間隙に挿入される第４フラップ２０９が折れ目線を介して設けられている。２０７ａは端板２０５ａと対向する辺を示す。２０９ａは端板２０５ａと対向する辺を示す。
【００２９】
２１０は矩形の天板（組み立てた時、図１に示す包装箱の蓋体の天面部１０２ａとなる）を示し、一方の長辺側は折れ目線を介して第２側板２０３と連接している。他の一方の長辺側は折れ目線を介して第３側板２１１（組み立てた時、図１に示す包装箱の蓋体の長辺側の側壁１０２ｂの外壁となる）が折れ目線を介して連接されており、第３側板２１１の一方の長辺側は折れ目線を介して第４側板２１２（組み立てた時、図１に示す包装箱の蓋体の長辺側の側壁１０２ｂの内壁となる）が折れ目線を介して連接されている。
【００３０】
第３側板２１１と第４側板２１２とで組み立てた時、図１に示す包装箱の蓋体の外壁と内壁とを有する長辺側の側壁１０２ｂを形成するようになっている。
【００３１】
天板２１０の一方の短辺側には、第３端板２１３（組み立てた時、図１に示す包装箱の蓋体の短辺側の側壁１０２ｃとなる）と、他の一方の短辺側には第４端板２１４（組み立てた時、図１に示す包装箱の蓋体の短辺側の側壁１０２ｄとなる）とを折れ目線を介して連接されている。
【００３２】
第３端板２１３は、折れ目線を介して端板２１３ａ（組み立てた時、図１に示す包装箱の蓋体の短辺側の側壁１０２ｄの外壁１０２ｄ１となる）と端板２１３ｂ（組み立てた時、図１に示す包装箱の蓋体の短辺側の側壁１０２ｄの内壁１０２ｄ２となる）とが連接されており、端板２１３ｂの端部にはフラップ２１３ｃ（組み立てた時、図１に示す包装箱の第２短辺側壁１０１ｄのフラップ１０１ｇとなる）が折れ目線を介して設けられている。端板２１３ａと端板２１３ｂとを折り目線に沿って折り曲げることで外壁と内壁とを有する側壁が形成される様になっている。
【００３３】
第４端板２１４は、折れ目線を介して端板２１４ａ（組み立てた時、図１に示す包装箱の蓋体の短辺側の側壁１０２ｃの外壁１０２ｃ１となる）と端板２１４ｂ（組み立てた時、図１に示す包装箱の蓋体の短辺側の側壁１０２ｃの内壁１０２ｄ２となる）とが連接されており、端板２１４ｂの端部にはフラップ２１４ｃ（組み立てた時、組み立てた時、図１に示す包装箱の第１短辺側壁１０１ｆのフラップ１０１ｆとなる）が折れ目線を介して設けられている。端板２１４ａと端板２１４ｂとを折り目線に沿って折り曲げることで外壁と内壁とを有する側壁が形成される様になっている。
【００３４】
第３側板２１１の一方の短辺部には第３端板２１３により形成される側壁の外壁と内壁との間隙に挿入される第５フラップ２１５が折れ目線を介して設けられている。第３側板２１１の他の一方の短辺部には第３端板２１４により形成される外壁と内壁との側壁の間隙に挿入される第６フラップ２１６が折れ目線を介して設けられている。本図に示す展開基板を折り目線に沿って各部を折り曲げ組み立てることで、接着剤、テープ、ステープル等を使用することなしに図１に示す包装箱を容易に作製することが出来る。
【００３５】
図３は収納箱に収納された包装体の状態を示す概略図である。図３の（ａ）は両端に支持部材を装着した包装体を収納箱に収納した状態を示す概略斜視図である。図２の（ｂ）は図３の（ａ）の概略平面図である。図３の（ｂ）はスペーサーの概略斜視図である。本図では、スペーサーの状態を示すため収納箱は除いてある。
【００３６】
図中、２ａは支持部材１０４ａ用のスペーサーを示し、２ｂは支持部材１０４ｂ用のスペーサーを示す。Ｐはスペーサーの幅を示し、幅Ｐは支持部材の幅に対して９０〜１００％が好ましい。幅Ｐが９０％未満の場合は、収納箱内で包装体の安定性が悪くなり、輸送時に収納箱が潰れる危険がある。幅Ｐが１００％を越えた場合は収納箱に収納出来なくな
る場合がある。他の符号は図１と同義である。
【００３７】
図４は図１に示す包装体を収納した収納箱の概略断面図である。図４の（ａ）は図１のＡ−Ａ′に沿った概略断面図である。図４の（ｂ）は図４の（ａ）のＧに示す部分拡大概略図である。
【００３８】
図中、１０５は巻き芯を示し、１０６ａ、１０６ｂはロール状感光材料の両端に取り付けられたフランジ部材を示す。本図に示す様に、包装体は収納箱１の本体１０１の第１短辺側壁１０１ｅ側の底部に配設されたスペーサー２ｅ上に支持部材１０４ａの底部１０１ａが載置され、第２短辺側壁１０１ｄ側の底部に配設されたスペーサー２ａ上に支持部材１０４ｂの底部１０１ａが載置され、宙づり状態で収納されている。
【００３９】
Ｈはスペーサーの厚さを示す。スペーサーの厚さＨは、２〜６ｍｍが好ましい。スペーサーの厚さＨが２ｍｍ未満の場合は、収納されている包装体の質量により潰された場合、包装体が収納箱の底部に接触し、押され跡、スリ傷等の故障が発生する場合がある。スペーサーの厚さＨが６ｍｍを越えた場合は、収納箱が大きくなり、収納箱のコストが高くなる場合があるし、取り扱いが困難となる場合がある。
【００４０】
Ｉはスペーサーの長さを示す。スペーサーの長さＩは、１０〜２０ｍｍが好ましい。スペーサーの長さＩが１０ｍｍ未満の場合は、収納箱内で包装体の安定性が悪くなり、輸送時に支持部材がスペーサーから外れ、包装体が収納箱の底部に接触し、押され跡、スリ傷等の故障が発生する場合がある。スペーサーの長さＩが２０ｍｍを越えた場合は、収納箱の底部の構造によっては、底部を構成しているフラップより出てしまい安定性が悪くなる場合がある。
【００４１】
本発明に係るスペーサーは、パルプモールド製であり使用する材料は限定はなく、例えば葦等の多年草の非木材パルプ、新聞、段ボール、古紙等を使用することが可能である。又、スペーサーの製造方法も原料を溶解した後、成形機で成形する一般的な方法で製造することが可能である。
【００４２】
図１〜図４に示す様にスペーサーを使用して両端に支持部材を装着した包装体を宙づり状態で収納箱に収納するすることにより次の効果が得られる。
【００４３】
１）収納した包装体の質量により、支持部材の載置箇所が凹んだ場合でも、包装体が底部と接触することが回避されるため、使用に際して押し跡、スリ傷等の検査をする必要が無くなり、安心して使用することが可能となった。
【００４４】
２）スペーサーがパルプモールド製であるため、使用後の処理が容易になり環境負荷を増加することを抑制することが可能となった。
【実施例】
【００４５】
以下に、本発明の効果を実施例により具体的に説明するが、本発明はこれらに限定されるものではない。
【００４６】
実施例１
（包装体の準備）
包装体としてコニカ（株）製  ＶＲ  ＳＰＥＣ８００  ３５６ｍｍ幅×６１ｍ長を使用した。
【００４７】
（収納箱の作製）
坪量２８０ｇ／ｍ2のライナー、坪量１２５ｇ／ｍ2の中芯のダンボール原紙を使用した、Ｂフルート両面ダンボールを用いて、図１に示す収納箱を作製した。
【００４８】
（支持部材の準備）
厚さ１０ｍｍの矩形で、各辺が包装体の外周面より１２８ｍｍの高さを有するポリエチレン樹脂を使用し、ブロー成形で作製した。
（スペーサーの作製）
原料として新聞古紙を使用し、表１に示す様に厚さを変えた図２に示す形状のスペーサーを作製し１−１〜１−１０とした。
尚、幅は１５ｍｍで、長さは支持部材の一辺の長さと同じにした。
【００４９】
【表１】
2005250217.tif 000003
【００５０】
（試料の作製）
準備した収納箱に、作製した各スペーサーを図３、図４に示す位置に配設した後、準備した包装体の両端に、準備した支持部材を取り付け収納し試料１０１〜１０７とした。比較としてスペーサーを使用しない他は全て同じ条件で包装体を収納し試料１０８とした。
【００５１】
（評価）
作製した各試料１０１〜１０８につき、２ケ月間放置した後、ＪＩＳ  Ｚ０２００、ＪＩＳ  Ｚ０２３２に基づき（株）アカシ製の振動試験器を使用し、振動試験を以下に示す条件で行った。振動試験終了後、各試料より包装体を取り出し、最外周から３周目までに相当する長さを切り出し、押され跡、スリ傷の有無を目視にて観察し、以下に示す評価ランクに従って評価した結果を表２に示す。
【００５２】
振動試験の条件
振動方法は、振動数を時間に釣れて直線的に変化させる方法で行い。ピーク加速度を０．７５Ｇ、振動数を８〜５０Ｈｚ、加振時間を４０分、振動方向を上下、振幅を２ｍｍの条件で行った。
【００５３】
押され跡の評価ランク
○：押され跡が無い
△：実技上問題とならない僅かな押され跡が確認される
×：実技上問題となる明らかな押され跡が確認される
スリ傷の評価ランク
○：スリ傷が無い
△：実技上問題とならない僅かなスリ傷が確認される
×：実技上問題となる明らかなスリ傷が確認される
【００５４】
【表２】
2005250217.tif 000004
【００５５】
尚、試料Ｎｏ．１０７は押され跡、スリ傷に関しては共に良好な結果お示したが、箱全体が大きくなり収納箱のコストが上がるため実用化は困難と判断した。本発明の有効性が確認された。
【図面の簡単な説明】
【００５６】
【図１】両端に支持部材を装着した状態の遮光包装された包装体を収納した収納箱の概略分解斜視図である。
【図２】図１に示す包装箱の概略展開図である。
【図３】収納箱に収納された包装体の状態を示す概略図である。
【図４】図１に示す包装体を収納した収納箱の概略断面図である。
【符号の説明】
【００５７】
１  収納箱
１０１  本体
１０２  蓋体
１０３  包装体
１０４ａ、１０４ｂ  支持部材
２ａ、２ｂ  スペーサ
【図１】
2005250217.tif 000005
【図２】
2005250217.tif 000006
【図３】
2005250217.tif 000007
【図４】
2005250217.tif 000008